(57)【要約】  本明細書には、移植可能ポートと移植可能ポート検出装置（「ＩＰＤＤ」）とが開示される。移植可能ポートは、ハウジングとハウジングの一部の上方の隔壁とを含む。ハウジングまたは隔壁のうちの少なくとも一方は、移植可能ポートが患者内に移植されたとき、移植可能ポートの隔壁を見付けるためのコントラスト剤を包含する。ＩＰＤＤは、光源と、光検出器と、移植可能ポートの存在を表示するように構成されたディスプレイとを含む。光源は、コントラスト剤による吸収のための入射光として、近赤外（「ＮＩＲ」）領域内の波長の光を放射するように構成される。光検出器は、コントラスト剤によって放射された発光を含むＮＩＲ領域内の波長の光を検出するように構成される。ディスプレイは、光検出器によってコントラスト剤からの発光が検出されたとき、移植可能ポートの存在を表示するように構成される。
2021531087.tif 000002
【特許請求の範囲】
【請求項１】
チャンバを含み、そのチャンバがチャンバに対する主要開口部を有するハウジングと、
前記ハウジングの前記主要開口部の上方の隔壁と
を含む移植可能ポートであって、
前記移植可能ポートのうちの１つ以上の部分はコントラスト剤の光電子励起および検出によってインビボで前記移植可能ポートの前記隔壁を見付けるための前記コントラスト剤を包含する、
移植可能ポート。
【請求項２】
前記移植可能ポートの前記隔壁は、前記コントラスト剤を包含する、請求項１に記載の移植可能ポート。
【請求項３】
前記移植可能ポートの前記ハウジングは、前記ハウジングの少なくとも前記主要開口部の周りに前記コントラスト剤を包含する、請求項１に記載の移植可能ポート。
【請求項４】
前記コントラスト剤は、ナノ粒子、量子ドット、１つ以上の蛍光色素、またはそれらの組み合わせを含む請求項１〜３のいずれか１項に記載の移植可能ポート。
【請求項５】
前記コントラスト剤は、ランタニドまたはアクチニドがドープされた遷移金属を含むアップコンバーティングナノ粒子を含む請求項１〜３のいずれか１項に記載の移植可能ポート。
【請求項６】
前記コントラスト剤はコアシェルナノ粒子を含む請求項１〜３のいずれか１項に記載の移植可能ポート。
【請求項７】
前記コントラスト剤は、近赤外（「ＮＩＲ」）領域内の波長の入射光を吸収し、かつ、前記ＮＩＲ領域内の波長の発光を放射するように構成される金ナノ粒子を含む請求項１〜３のいずれか１項に記載の移植可能ポート。
【請求項８】
前記金ナノ粒子はビオチン、メトキシポリエチレングリコールまたはクエン酸から誘導されたキャッピング配位子を含む請求項７に記載の移植可能ポート。
【請求項９】
前記コントラスト剤を含む前記移植可能ポートは、少なくとも６０℃の温度までのオートクレーブベースの滅菌に付随する条件に対して安定である請求項１〜８のいずれか１項に記載の移植可能ポート。
【請求項１０】
前記ハウジングは前記移植可能ポートを通過する注入物の所望の流量を達成するために、機械的に補助される加圧注入のための構造的一体性を有する請求項１〜９のいずれか１項に記載の移植可能ポート。
【請求項１１】
ａ）チャンバを含み、そのチャンバがチャンバに対する主要開口部と小開口部とを有するハウジングと、
前記ハウジングの前記主要開口部の上方の隔壁と、
前記ハウジングの前記小開口部によって前記チャンバに流体的に連結されたステムルーメンを含むステムと、
を含む移植可能ポートであって、
前記移植可能ポートのうちの１つ以上の部分は、コントラスト剤の光電子励起および検出によってインビボで前記移植可能ポートの前記隔壁を見付けるための前記コントラスト剤を包含する
移植可能ポートと、
ｂ）前記移植可能ポートの前記ステムの上方を摺動するように構成された端部を含むカテーテルであって、前記カテーテルは前記ステムルーメンによって前記移植可能ポートの前記チャンバと流体連通するカテーテルルーメンを有するカテーテルと
ｃ）前記移植可能ポートの前記ステムの上方における前記カテーテルの前記端部の上方を摺動するように構成され、それによって、前記移植可能ポートの前記ステム上に前記カテーテルをロックするカテーテルロックと、
を含むカテーテルアセンブリ。
【請求項１２】
前記移植可能ポートの前記隔壁は前記コントラスト剤を包含するか、または、前記移植可能ポートの前記ハウジングは、前記ハウジングの少なくとも前記主要開口部の周りに前記コントラスト剤を包含する請求項１１に記載のカテーテルアセンブリ。
【請求項１３】
前記コントラスト剤は近赤外（「ＮＩＲ」）領域内の波長の入射光を吸収し、かつ、前記ＮＩＲ領域内の波長の発光を放射するように構成される金ナノ粒子を含む請求項１１または１２に記載のカテーテルアセンブリ。
【請求項１４】
前記金ナノ粒子はビオチン、メトキシポリエチレングリコールまたはクエン酸から誘導されたキャッピング配位子を含む請求項１３に記載のカテーテルアセンブリ。
【請求項１５】
前記コントラスト剤を含む前記移植可能ポートは少なくとも６０℃の温度までのオートクレーブベースの滅菌に付随する条件に対して安定である請求項１１〜１４のいずれか１項に記載のカテーテルアセンブリ。
【請求項１６】
前記移植可能ポートの前記ハウジングは前記移植可能ポートを通過する注入物の所望の流量を達成するために機械的に補助される加圧注入のための構造的一体性を有する請求項１１〜１５のいずれか１項に記載のカテーテルアセンブリ。
【請求項１７】
移植可能ポートのうちの１つ以上の部分内に包含されたコントラスト剤による吸収のための入射光として近赤外（「ＮＩＲ」）領域内の波長の１つ以上の波長の光を放射するように構成された光源と、
前記コントラスト剤によって前記入射光が吸収された後、前記コントラスト剤によって放射される発光を含む前記ＮＩＲ領域内の波長の１つ以上の同じかまたは異なる波長の光を検出するように構成される光検出器と、
前記コントラスト剤からの前記発光が前記光検出器によって検出されたとき、前記移植可能ポートの存在を表示するように構成されたディスプレイと
を備える移植可能ポート検出装置（「ＩＰＤＤ」）。
【請求項１８】
前記光検出器は、前記発光が存在するとき、前記コントラスト剤からの前記発光とともに前記移植可能ポートを含む環境の少なくとも一部の画像または映像を取り込むように構成されるＮＩＲ感受性カメラである請求項１７に記載のＩＰＤＤ。
【請求項１９】
前記ディスプレイは、前記画像または前記映像を表示するように構成され、それによって前記移植可能ポートの存在を提供する、請求項１８に記載のＩＰＤＤ。
【請求項２０】
前記画像または前記映像におけるコントラストを改善するため、干渉光の波長をカットオフするように構成された前記カメラの開口部上の光学フィルタをさらに備える請求項１８または１９に記載のＩＰＤＤ。
【請求項２１】
前記光学フィルタは、約６００ｎｍより短い波長をカットオフするバンドパスまたはロングパスフィルタとして構成されるダイクロイックフィルタである請求項２０に記載のＩＰＤＤ。
【請求項２２】
バッテリと、
汎用ＡＣ電源による前記バッテリの充電のために、交流電流（「ＡＣ」）を直流（「ＤＣ」）に変換するように構成されたコンバータと
をさらに備える請求項１７〜２１のいずれか１項に記載のＩＰＤＤ。
【請求項２３】
前記ＩＰＤＤは携帯型装置である請求項１７〜２２のいずれか１項に記載のＩＰＤＤ。
【請求項２４】
ａ）チャンバを含み、そのチャンバがチャンバに対する主要開口部を有するハウジングと、
前記ハウジングの前記主要開口部の上方の隔壁と、
を含む移植可能ポートであって、
前記移植可能ポートのうちの１つ以上の部分は、前記移植可能ポートが患者内に移植されるときに前記移植可能ポートの前記隔壁を見付けるためのコントラスト剤を包含する
移植可能ポートと、
ｂ）前記移植可能ポートのうちの前記１つ以上の部分内に包含された前記コントラスト剤による吸収のための入射光として近赤外（「ＮＩＲ」）領域内の波長の１つ以上の波長の光を放射するように構成された光源と、
前記コントラスト剤によって前記入射光が吸収された後、前記コントラスト剤によって放射される発光を含む前記ＮＩＲ領域内の波長の１つ以上の同じかまたは異なる波長の光を検出するように構成される光検出器と、
前記コントラスト剤からの前記発光が前記光検出器によって検出されたとき、前記移植されたポートの存在を表示するように構成されたディスプレイと、
を含む移植可能ポート検出装置（「ＩＰＤＤ」）と
を備える移植可能ポート検出システム。
【請求項２５】
前記移植可能ポートの前記隔壁は前記コントラスト剤を包含するか、または、前記移植可能ポートの前記ハウジングは、前記ハウジングの少なくとも前記主要開口部の周りに前記コントラスト剤を包含する請求項２４に記載の移植可能ポート検出システム。
【請求項２６】
前記コントラスト剤は、前記ＮＩＲ領域内の波長の前記１つ以上の波長の前記入射光を吸収し、かつ、前記ＮＩＲ領域内の波長の前記１つ以上の同じかまたは異なる波長の前記発光を放射するように構成される金ナノ粒子を含む請求項２４または２５に記載の移植可能ポート検出システム。
【請求項２７】
前記入射光のうちの前記１つ以上の波長は、前記ＮＩＲ領域内の波長における前記金ナノ粒子のピーク吸収に対応する、請求項２６に記載の移植可能ポート検出システム。
【請求項２８】
前記金ナノ粒子はビオチン、メトキシポリエチレングリコールまたはクエン酸から誘導されたキャッピング配位子を含む請求項２６または２７に記載の移植可能ポート検出システム。
【請求項２９】
前記光検出器は、前記発光が存在するとき、前記金ナノ粒子からの前記発光とともに前記患者の体の表面の少なくとも一部の画像または映像を取り込むように構成されるＮＩＲ感受性カメラであり、前記ディスプレイは、前記画像または前記映像を表示するように構成され、それによって、前記患者内の前記移植されたポートの存在を提供する請求項２６〜２８のいずれか１項に記載の移植可能ポート検出システム。
【請求項３０】
前記画像または前記映像におけるコントラストを改善するため、干渉光の波長をカットオフするように構成される、前記カメラと前記患者との間の光学フィルタをさらに備え、前記光学フィルタは約６００ｎｍより短い波長をカットオフするバンドパスまたはロングパスフィルタとして構成されるダイクロイックフィルタである請求項２９に記載の移植可能ポート検出システム。
【請求項３１】
バッテリと、
汎用ＡＣ電源による前記バッテリの充電のために交流電流（「ＡＣ」）を直流（「ＤＣ」）に変換するように構成されたコンバータとをさらに備え、
前記ＩＰＤＤは携帯型装置である請求項２４〜３０のいずれか１項に記載の移植可能ポート検出システム。
【請求項３２】
入射光として移植可能ポート検出装置（「ＩＰＤＤ」）の光源から光を放射することであって、前記入射光は近赤外（「ＮＩＲ」）領域内の波長の１つ以上の波長のものであることと、
コントラスト剤によって前記入射光が吸収された後、患者内に移植された移植可能ポート内に包含された前記コントラスト剤によって放射される発光を含む光を前記ＩＰＤＤの光検出器で検出することであって、前記発光は前記ＮＩＲ領域内の波長の１つ以上の同じかまたは異なる波長のものであることと、
前記コントラスト剤からの前記発光が前記光検出器によって検出されたとき、前記患者内の前記移植されたポートの存在を表示することと
を備える移植可能ポート検出システムの方法。
【請求項３３】
前記移植可能ポートの隔壁は、前記コントラスト剤を包含するか、または、前記移植可能ポートのハウジングは、前記隔壁によって覆われた、前記ハウジングの少なくとも主要開口部の周りに前記コントラスト剤を包含する請求項３２に記載の方法。
【請求項３４】
前記移植可能ポートのチャンバから血液サンプルを回収するために、または前記移植可能ポートの前記チャンバに治療剤を送達するために、ノンコアリングニードルで前記移植可能ポートの前記隔壁を貫通させることをさらに含む請求項３３に記載の方法。
【請求項３５】
前記コントラスト剤は、前記ＮＩＲ領域内の波長の前記１つ以上の波長の前記入射光を吸収し、かつ、前記ＮＩＲ領域内の波長の前記１つ以上の同じかまたは異なる波長の前記発光を放射するように構成される金ナノ粒子を含む、請求項３２〜３４のいずれか１項に記載の方法。
【請求項３６】
前記光検出器は、画像または映像を取り込むように構成されたＮＩＲ感受性カメラであって、前記患者内の前記移植されたポートの存在を表示することは、前記発光が存在するとき、前記移植可能ポート内に包含された前記コントラスト剤によって放射される前記発光とともに前記患者の体の表面の少なくとも一部の前記画像または前記映像を表示することを含む、請求項３２〜３５のいずれか１項に記載の方法。
【請求項３７】
前記患者内に移植された前記移植可能ポートを除去することをさらに備える請求項３２〜３６のいずれか１項に記載の方法。
【発明の詳細な説明】
【技術分野】
【０００１】
本発明は、移植可能ポート、移植可能ポート検出装置、およびその方法に関連する。
【背景技術】
【０００２】
中心静脈アクセスポートなどの移植可能アクセスポート、または単に「ポート」は、毎回外科的処置を利用することなく、取り付けられたカテーテルによって体の離れた領域に物質を繰り返し送達する便利な方法を提供する。ポートは体内に移植可能であり、医薬品、非経口液剤、血液製剤、またはその他の流体の注入を許容する。加えて、ポートはまた、血液サンプリングにも使用される。一般に、ポートは体内に皮下移植され、カテーテルはポートと流体連通して、ポートに連結される。カテーテルは、流体の送達または除去が所望される離れた領域にルーティングされる。流体を送達するために、介護者は患者の皮膚の触診によってポートの隔壁を見付ける。ポートアクセスは、ポートの隔壁を通ってポートのチャンバ内にニードル、通常ノンコアリングニードルを経皮的に挿入することによって達成される。薬または他の有益な物質を含む流体は、その後、ボーラス注入または連続注入によってポートのチャンバ内に投与され得る。流体はその後チャンバを通ってカテーテル内に流れ、最終的に流体が所望される離れた部位に流れる。
【発明の概要】
【発明が解決しようとする課題】
【０００３】
皮膚の下にポートが移植された場合、ポート、特にポート隔壁は、発見することが難しいことがある。したがって、そのような医療装置が移植された場合、ポートおよびその隔壁などの医療装置の発見を容易にすることが必要とされている。
【課題を解決するための手段】
【０００４】
本明細書には、少なくとも移植可能ポートと、移植可能ポート検出装置と、その方法が開示される。
本明細書には、いくつかの実施形態において、ハウジングとハウジング上の隔壁とを含む移植可能ポートが開示される。ハウジングはチャンバを含み、そのチャンバはチャンバに対する主要開口部を有する。隔壁は、ハウジングの主要開口部上方にある。移植可能ポートのうちの１つ以上の部分は、コントラスト剤の光電子励起および検出によってインビボで移植可能ポートの隔壁を見付けるための前記コントラスト剤を包含する。
【０００５】
いくつかの実施形態において、移植可能ポートの隔壁は、コントラスト剤を包含する。
いくつかの実施形態において、移植可能ポートのハウジングは、ハウジングの少なくとも主要開口部の周りにコントラスト剤を包含する。
【０００６】
いくつかの実施形態において、コントラスト剤は、ナノ粒子、量子ドット、１つ以上の蛍光色素、またはそれらの組み合わせを含む。
いくつかの実施形態において、コントラスト剤は、ランタニドまたはアクチニドがドープされた遷移金属を含むアップコンバーティングナノ粒子を含む。
【０００７】
いくつかの実施形態において、コントラスト剤は、コアシェルナノ粒子を含む。
いくつかの実施形態において、コントラスト剤はＮＩＲ領域内の波長の入射光を吸収し、かつ、ＮＩＲ領域内の波長の発光を放射するように構成される金ナノ粒子を含む。
【０００８】
いくつかの実施形態において、金ナノ粒子は、ビオチン、メトキシポリエチレングリコールまたはクエン酸から誘導されたキャッピング配位子を含む。
いくつかの実施形態において、移植可能ポートは、少なくとも６０℃の温度までのオートクレーブベースの滅菌に付随する条件で安定であるコントラスト剤を含む。
【０００９】
いくつかの実施形態において、ハウジングは、移植可能ポートを通過する注入物の所望の流量を達成するために機械的に補助される加圧注入のための構造的一体性を有する。
本明細書にはまた、いくつかの実施形態において、移植可能ポートと、カテーテルと、移植可能ポート上のカテーテルをロックするように構成されるカテーテルロックとを含むカテーテルアセンブリが開示される。移植可能ポートは、ハウジングと、ハウジング上方の隔壁と、ハウジングから延在するステムとを含む。ハウジングは、チャンバに対する主要開口部と小開口部とを有するチャンバを含む。隔壁は、ハウジングの主要開口部の上方にある。ステムは、ハウジングの小開口部によってチャンバに流体的に連結されたステムルーメンを含む。移植可能ポートのうちの１つ以上の部分は、コントラスト剤の光電子励起および検出によってインビボで移植可能ポートの隔壁を見付けるためのコントラスト剤を包含する。カテーテルは、移植可能ポートのステムの上方を摺動するように構成された端部を含む。カテーテルは、ステムルーメンによって移植可能ポートのチャンバと流体連通するカテーテルルーメンを有する。カテーテルロックは、移植可能ポートのステムの上方におけるカテーテルの端部の上方を摺動するように構成され、それによって、移植可能ポートのステム上にカテーテルをロックする。
【００１０】
いくつかの実施形態において、移植可能ポートの隔壁は、コントラスト剤を包含する。あるいは、移植可能ポートのハウジングは、ハウジングの少なくとも主要開口部の周りにコントラスト剤を包含する。
【００１１】
いくつかの実施形態において、カテーテル、カテーテルロック、またはカテーテルおよびカテーテルロックの両方はコントラスト剤を包含する。
いくつかの実施形態において、コントラスト剤はＮＩＲ領域内の波長の入射光を吸収し、かつ、ＮＩＲ領域内の波長の発光を放射するように構成される金ナノ粒子を含む。
【００１２】
いくつかの実施形態において、金ナノ粒子は、ビオチン、メトキシポリエチレングリコールまたはクエン酸から誘導されたキャッピング配位子を含む。
いくつかの実施形態において、コントラスト剤を含む移植可能ポートは少なくとも６０℃の温度までのオートクレーブベースの滅菌に付随する条件で安定である。
【００１３】
いくつかの実施形態において、移植可能ポートのハウジングは移植可能ポートを通過する注入物の所望の流量を達成するために機械的に補助される加圧注入のための構造的一体性を有する。
【００１４】
本明細書にはまた、いくつかの実施形態において、光源と、光検出器と、移植可能ポートの存在を表示するように構成されたディスプレイとを含む移植可能ポート検出装置（「ＩＰＤＤ」）が開示される。光源は、移植可能ポートのうちの１つ以上の部分内に包含されたコントラスト剤による吸収のための入射光としてＮＩＲ領域内の波長の１つ以上の波長の光を放射するように構成される。光検出器は、コントラスト剤によって入射光が吸収された後、コントラスト剤によって放射される発光を含むＮＩＲ領域内の波長の１つ以上の同じかまたは異なる波長の光を検出するように構成される。ディスプレイは、コントラスト剤からの発光が光検出器によって検出されたとき、移植可能ポートの存在を表示するように構成される。
【００１５】
いくつかの実施形態において、光検出器は、発光が存在するとき、コントラスト剤からの発光とともに移植可能ポートを含む環境の少なくとも一部の画像または映像を取り込むように構成されるＮＩＲ感受性カメラである。
【００１６】
いくつかの実施形態において、ディスプレイは画像または映像を表示するように構成され、それによって移植可能ポートの存在を提供する。
いくつかの実施形態において、ＩＰＤＤは画像または映像におけるコントラストを改善するために、干渉光の波長をカットオフするように構成されたカメラの開口部上の光学フィルタをさらに備える。
【００１７】
いくつかの実施形態において、光学フィルタは、約６００ｎｍより短い波長をカットオフするバンドパスまたはロングパスフィルタとして構成されるダイクロイックフィルタである。
【００１８】
いくつかの実施形態において、ＩＰＤＤは、バッテリと、そのバッテリを充電するためのコンバータとをさらに含む。コンバータは、汎用ＡＣ電源によるバッテリの充電のためにＡＣをＤＣに変換するように構成される。
【００１９】
いくつかの実施形態において、ＩＰＤＤは携帯型装置である。
本明細書にはまた、いくつかの実施形態において、移植可能ポートとＩＰＤＤとを含む移植可能ポート検出システムが開示される。移植可能ポートは、チャンバに対する主要開口部を有するチャンバを含むハウジングを含む。隔壁は、ハウジングの主要開口部の上方にある。移植可能ポートのうちの１つ以上の部分は、移植可能ポートが患者内に移植されるときに移植可能ポートの隔壁を見付けるためのコントラスト剤を包含する。ＩＰＤＤは光源と、光検出器と、移植可能ポートの存在を表示するように構成されたディスプレイとを含む。光源は、移植可能ポートのうちの１つ以上の部分内に包含された前記コントラスト剤による吸収のための入射光としてＮＩＲ領域内の波長の１つ以上の波長の光を放射するように構成される。光検出器は、コントラスト剤によって入射光が吸収された後、コントラスト剤によって放射される発光を含むＮＩＲ領域内の波長の１つ以上の同じかまたは異なる波長の光を検出するように構成される。ディスプレイはコントラスト剤からの発光が光検出器によって検出されたとき、移植可能ポートの存在を表示するように構成される。
【００２０】
いくつかの実施形態において、移植可能ポートの隔壁は、コントラスト剤を包含する。あるいは、移植可能ポートのハウジングは、ハウジングの少なくとも主要開口部の周りにコントラスト剤を包含する。
【００２１】
いくつかの実施形態において、コントラスト剤はＮＩＲ領域内の波長の１つ以上の波長の入射光を吸収し、かつ、ＮＩＲ領域内の波長の１つ以上の同じかまたは異なる波長の発光を放射するように構成される金ナノ粒子を含む。
【００２２】
いくつかの実施形態において、入射光のうちの１つ以上の波長は、ＮＩＲ領域内の波長における金ナノ粒子のピーク吸収に対応する。
いくつかの実施形態において、金ナノ粒子は、ビオチン、メトキシポリエチレングリコールまたはクエン酸から誘導されたキャッピング配位子を含む。
【００２３】
いくつかの実施形態において、光検出器は、前記発光が存在するとき、前記金ナノ粒子からの前記発光とともに前記患者の体の表面の少なくとも一部の画像または映像を取り込むように構成されるＮＩＲ感受性カメラである。ディスプレイは、画像または映像を表示するように構成され、それによって、患者内の移植されたポートの存在を提供する。
【００２４】
いくつかの実施形態において、移植可能ポート検出システムは、画像または映像におけるコントラストを改善するために干渉光の波長をカットオフするように構成される、カメラと患者との間の光学フィルタをさらに含む。光学フィルタは約６００ｎｍより短い波長をカットオフするバンドパスまたはロングパスフィルタとして構成されるダイクロイックフィルタである。
【００２５】
いくつかの実施形態において、移植可能ポート検出システムは、バッテリと、そのバッテリを充電するためのコンバータとをさらに含む。コンバータは、汎用ＡＣ電源によるバッテリの充電のためにＡＣをＤＣに変換するように構成される。
【００２６】
いくつかの実施形態において、ＩＰＤＤは携帯型装置である。
本明細書にはまた、いくつかの実施形態において、入射光としてＩＰＤＤの光源から光を放射することと、患者内に移植された移植可能ポートからの発光を含む光をＩＰＤＤの光検出器で検出することと、患者内に移植されたポートの存在を表示することと、を含むポート検出システムの方法が開示される。ＩＰＤＤの光源から放射された入射光はＮＩＲ領域内の波長の１つ以上の波長である。移植可能ポートからの発光は、コントラスト剤によって入射光が吸収された後、移植可能ポート内に包含されたコントラスト剤によって放射される発光である。発光は、ＮＩＲ領域内の波長の１つ以上の同じかまたは異なる波長である。患者内の移植されたポートの存在を表示することは、コントラスト剤からの発光が光検出器によって検出されたときに起こる。
【００２７】
いくつかの実施形態において、移植可能ポートの隔壁は、コントラスト剤を包含する。あるいは、移植可能ポートのハウジングは、隔壁によって覆われた、ハウジングの少なくとも主要開口部の周りにコントラスト剤を包含する。
【００２８】
いくつかの実施形態において、本方法は、移植可能ポートのチャンバから血液サンプルを回収するために、または移植可能ポートのチャンバに治療剤を送達するために、ノンコアリングニードルで前記移植可能ポートの前記隔壁を貫通させることをさらに含む。
【００２９】
いくつかの実施形態において、コントラスト剤は、ＮＩＲ領域内の波長の１つ以上の波長の入射光を吸収し、かつ、ＮＩＲ領域内の波長の１つ以上の同じかまたは異なる波長の発光を放射するように構成される金ナノ粒子を含む。
【００３０】
いくつかの実施形態において、光検出器は画像または映像を取り込むように構成されたＮＩＲ感受性カメラである。患者内の移植されたポートの存在を表示することは、発光が存在するとき、移植可能ポート内に包含されたコントラスト剤によって放射された発光とともに患者の体の表面の少なくとも一部の画像または映像を表示することを含む。
【００３１】
いくつかの実施形態において、本発明は患者内に移植された前記移植可能ポートを除去することをさらに含む。
本明細書に提供される概念のこれらの特徴および他の特徴は、そのような概念の特定の複数の実施形態をより詳細に開示する添付の図面および以下の記載を考慮することによって当業者により明白になるであろう。
【図面の簡単な説明】
【００３２】
【図１】いくつかの実施形態に従い、患者内に移植された移植可能ポートを発見するために使用される移植可能ポート検出システムを示す図。
【図２】いくつかの実施形態による移植可能ポート検出システムの階層図。
【図３Ａ】いくつかの実施形態による移植可能ポートを含むカテーテルアセンブリの側面図。
【図３Ｂ】いくつかの実施形態による移植可能ポートを含むカテーテルアセンブリの上面図。
【図３Ｃ】いくつかの実施形態による移植可能ポートを含むカテーテルアセンブリの上面図。
【図４Ａ】いくつかの実施形態による金ナノスフィアの吸光度スペクトルを示す図。
【図４Ｂ】いくつかの実施形態による金ナノロッドの吸光度スペクトルを示す図。
【図５】いくつかの実施形態によるＩＰＤＤを示す図。
【図６】いくつかの実施形態によるＩＰＤＤのモジュールを示す図。
【図７】いくつかの実施形態によるＩＰＤＤの光学フィルタの透過曲線を示す図。
【図８】いくつかの実施形態による移植可能ポート検出システムの方法を示す図。
【発明を実施するための形態】
【００３３】
いくつかの特定の実施形態がより詳細に開示される前に、本明細書に開示される特定の実施形態は、本明細書に提供される概念の範囲を限定しないことを理解されたい。本明細書に開示される特定の実施形態は、その特定の実施形態から容易に分離でき、任意選択的に、本明細書に開示される他の複数の実施形態のうちのいずれかの特徴と組み合わせるか、または置換することができる特徴を有し得ることも理解されたい。
【００３４】
本明細書に使用される用語に関して、用語は、いくつかの特定の実施形態の説明の目的のためであり、それらの用語が本明細書に提供される概念の範囲を限定しないことも理解されたい。序数（例えば、第１、第２、第３など）は、一般に、特徴またはステップの一群内の異なる複数の特徴またはステップを区別または識別するために使用され、シリアルまたは数的な限定を供給しない。例えば、「第１」、「第２」、および「第３」の特徴またはステップは、必ずしもその順序で現れる必要はなく、そのような特徴またはステップを含む特定の実施形態は、必ずしも３つの特徴またはステップに限定される必要はない。「左」、「右」、「前部」、「後部」、「頂部」、「底部」、「順」、「逆」、「時計回り」、「反時計回り」、「上」、「下」などのラベル、または「上部」、「下部」、「後方」、「前方」、「垂直」、「水平」、「近位」、「遠位」などの他の同様の用語は、便宜上使用され、例えば、特定の任意の固定された位置、配向、または方向を含意することを意図していない。代わりに、そのようなラベルは、例えば、相対的な位置、配向、または方向を反映するために使用される。単数形の「ａ」、「ａｎ」、および「ｔｈｅ」には、文脈で特に明確に指示されなければ、複数形の参照が含まれる。
【００３５】
「近位」に関して、例えば、本明細書に開示されるカテーテルの「近位部分」または「近位端部」は、カテーテルが患者に使用されるとき、臨床医の近くにあることが意図されるカテーテルの部分を含む。同様に、例えば、カテーテルの「近位長」は、カテーテルが患者に使用されるとき、臨床医の近くにあることが意図されるカテーテルの長さを含む。例えば、カテーテルの「近位端」は、カテーテルが患者に使用されるとき、臨床医の近くにあることが意図されるカテーテルの一端を含む。カテーテルの近位部分、近位端部、または近位長は、カテーテルの近位端を含み得る。しかしながら、カテーテルの近位部分、近位端部、または近位長は、カテーテルの近位端を含む必要はない。すなわち、特に文脈が示唆しなければ、カテーテルの近位部分、近位端部、または近位長は、カテーテルの末端部または末端長ではない。
【００３６】
「遠位」に関して、例えば、本明細書に開示されるカテーテルの「遠位部分」または「遠位端部」は、カテーテルが患者に使用されるとき、患者の近くまたは患者内にあることが意図されるカテーテルの部分を含む。同様に、例えば、カテーテルの「遠位長」は、カテーテルが患者に使用されるとき、患者の近くまたは患者内にあることが意図されるカテーテルの長さを含む。例えば、カテーテルの「遠位端」は、カテーテルが患者に使用されるとき、患者の近くまたは患者内にあることが意図されるカテーテルの一端を含む。カテーテルの遠位部分、遠位端部、または遠位長は、カテーテルの遠位端を含み得る。しかしながら、カテーテルの遠位部分、遠位端部、または遠位長は、カテーテルの遠位端を含む必要はない。すなわち、特に文脈が示唆しなければ、カテーテルの遠位部分、遠位端部、または遠位長は、カテーテルの末端部または末端長ではない。
【００３７】
本明細書に使用される省略語、頭文字語、頭字語などは、近赤外（「ＮＩＲ」）、移植可能ポート検出装置（「ＩＰＤＤ」）、交流電流（「ＡＣ」）、直流（「ＤＣ」）、電荷結合素子（「ＣＣＤ」）、グラフィカルユーザインタフェース（「ＧＵＩ」）、および発光ダイオード（「ＬＥＤ」）を含む。
【００３８】
特に定義されなければ、本明細書に使用される全ての技術的および科学的用語は、当業者によって一般的に理解されていることと同じ意味を有する。
皮膚の下にポートが移植された場合、ポート、特にポート隔壁は、発見することが難しいことがある。したがって、そのような医療装置が移植された場合、ポートおよびその隔壁などの医療装置を見付けることを容易にすることが必要とされている。したがって、以下に、様々な移植可能ポート検出システムと、移植可能ポートを含むカテーテルアセンブリと、移植可能ポートと、移植可能ポート検出装置とが述べられている。前述のものに付随した方法も以下に述べられている。
【００３９】
移植可能ポート検出システム
図１には、いくつかの実施形態による患者Ｐにおいて移植された移植可能ポート３１０を見付けるために使用される移植可能ポート検出システム１００が示される。図２には、いくつかの実施形態による移植可能ポート検出システム１００の階層図を示す。
【００４０】
示されるように、移植可能ポート検出システム１００は、いくつかの実施形態において、ＩＰＤＤ５００と移植可能ポート３１０を含むカテーテルアセンブリ３００とを含む。以下により詳細に述べるように、移植可能ポート３１０が患者Ｐ内に移植されるとき、移植可能ポート３１０のうちの１つ以上の部分には、移植可能ポート３１０の隔壁３１４（図３Ａ〜３Ｃを参照されたい）を見付けるためにコントラスト剤３１７（図３Ａ〜３Ｃを参照されたい）を包含する。ＩＰＤＤ５００は、移植可能ポート３１０のうちの１つ以上の部分内に包含されたコントラスト剤３１７による吸収のための入射光ｈνｉとしてＮＩＲ領域内の波長の１つ以上の波長の光を放射するように構成された光源６４２（図６も参照）を含む。入射光は、コントラスト剤３１７のピークまたはピークに近い吸光度の１つ以上の波長である。ＩＰＤＤ５００はまた、コントラスト剤３１７によって入射光が吸収された後、コントラスト剤３１７によって放射される発光ｈνｌを含むＮＩＲ領域内の波長の１つ以上の同じかまたは異なる波長の光を検出するように構成される光検出器６４４（図６参照）を含む。ＩＰＤＤ５００は、コントラスト剤３１７からの発光が光検出器６４４によって検出されたとき、移植可能ポート３１０の存在を表示するように構成されたディスプレイ５２０（図５も参照）をも含む。
【００４１】
移植可能ポートを含むカテーテルアセンブリ
図３Ａは、いくつかの実施形態による移植可能ポート３１０を含むカテーテルアセンブリ３００の側面図を示す。図３Ｂおよび３Ｃは、いくつかの実施形態による移植可能ポート３１０を含むカテーテルアセンブリ３００の上面図を示す。
【００４２】
示されるように、カテーテルアセンブリ３００は、いくつかの実施形態において、移植可能ポート３１０と、カテーテル３２０と、カテーテル３２０を移植可能ポート３１０上にロックするように構成されたカテーテルロック３３０とを含む。以下により詳細に述べられるように、移植可能ポート３１０は、ハウジング３１２とハウジング３１２から延在する中空ステム３１８とを含む。カテーテル３２０は、移植可能ポート３１０のステム３１８上を摺動するように構成された端部を含む。カテーテル３２０は、ステム３１８のステムルーメン（図示されていない）によって移植可能ポート３１０のチャンバ３１６と流体連通するカテーテルルーメン３２２を有する。カテーテルロック３３０は、移植可能ポート３１０のステム３１８上方におけるカテーテル３２０の端部の上方を摺動するように構成され、それによって、移植可能ポート３１０のステム３１８上にカテーテル３２０をロックする。
【００４３】
移植可能ポート３１０のうちの１つ以上の部分は、移植可能ポート３１０の隔壁３１４を見付けるためのコントラスト剤３１７を包含するが、カテーテル３２０、カテーテルロック３３０、またはカテーテル３２０およびカテーテルロック３３０の両方は、同じかまたは異なるコントラスト剤を包含することができる。そのようなコントラスト剤のカテーテル３２０またはカテーテルロック３３０内への包含は、コントラスト剤が分配される患者Ｐの領域を効果的に拡大する。これは、特定の解剖学的構造において（例えば肥満患者）、移植されたポート（例えば、移植可能ポート３１０）の探査を容易にすることができる。例えば、コントラスト剤（例えば、コントラスト剤３１７）を包含したカテーテル（例えば、カテーテル３２０）などが発見されると、臨床医はその発光によって、移植されたポートまでカテーテルをたどることができる。臨床医は、その後、移植されたポートのうちの１つ以上の部分内のコントラスト剤の発光によって移植されたポートの隔壁を識別することができる。
【００４４】
移植可能ポート
また、図３Ａはいくつかの実施形態による移植可能ポート３１０を含むカテーテルアセンブリ３００の側面図を示す。図３Ｂおよび３Ｃは、異なるコントラスト剤３１７が包含されたいくつかの実施形態による移植可能ポート３１０を含むカテーテルアセンブリ３００の上面図を示す。
【００４５】
示されるように、移植可能ポート３１０は、いくつかの実施形態において、ハウジング３１２と、ハウジング３１２の少なくとも一部分の上方の隔壁３１４と、ハウジング３１２から延在するステム３１８とを含む。ハウジング３１２は、移植可能ポート３１０を通る注入物の所望の流量を達成するために機械的に補助される加圧注入のための構造的一体性を有し得る。ハウジング３１２はそのような注入のためのチャンバ３１６を含み、ハウジング３１２はチャンバ３１６に対する主要開口部とチャンバ３１６に対する小開口部とを有する。隔壁３１４は、ハウジング３１２の主要開口部の上方にあり、それによってチャンバ３１６を閉鎖または密閉し、チャンバ３１６へのアクセスのためのニードルを必要とする。ステム３１８はハウジング３１２の小開口部によってチャンバ３１６に流体的に連結されたステムルーメン（図示されていない）を含む。
【００４６】
移植可能ポート３１０のうちの１つ以上の部分は、ＩＰＤＤ５００によるコントラスト剤３１７の光電子励起および検出によって、インビボで移植可能ポート３１０の隔壁３１４を見付けるためにコントラスト剤３１７を包含する。移植可能ポート３１０の隔壁３１４は、図３Ｂにおいて示されるように、コントラスト剤３１７を包含することができる。隔壁３１４から突出する図３Ｂおよび３Ｃに示される３つの触診隆起は、コントラスト剤３１７を包含し得る。移植可能ポート３１０のハウジング３１２は、図３Ｃに示されるように、ハウジング３１２の少なくとも主要開口部の周りにコントラスト剤３１７を包含し得る。コントラスト剤３１７を含む移植可能ポート３１０は、少なくとも６０℃の温度までのオートクレーブベースの滅菌に付随する条件で安定である。
【００４７】
コントラスト剤３１７は、ナノ粒子、量子ドット、１つ以上の蛍光色素、それらの組み合わせ（例えば、蛍光標識されたナノ粒子）、またはそれらの混合物（例えば、ナノ粒子および蛍光色素）を含み得る。例えば、コントラスト剤３１７は、ナノ粒子を含み得る。ナノ粒子は、ランタニドまたはアクチニドがドープされた遷移金属を含むアップコンバーティングナノ粒子を含むタイプであり得る。ナノ粒子は、少なくとも１つの独立した有機または無機シェルによって少なくとも部分的に包まれた有機または無機コアを含むコアシェルナノ粒子を含むタイプであり得る。ナノ粒子は、金ナノ粒子または銀ナノ粒子を含むタイプであり得る。
【００４８】
コントラスト剤３１７はＮＩＲ領域内の波長の１つ以上の波長の入射光を吸収し、ＮＩＲ領域内の波長の１つ以上の同じかまたは異なる波長の発光を放射するように構成され得る。ＮＩＲ領域の波長は、生体組織の光学窓である約６５０ｎｍ〜約１３５０ｎｍであり得、前述の領域の波長が前述の領域外の波長よりもより深く生体組織を貫通するという観点からである（生体組織の光学窓は図７を参照）。
【００４９】
ナノ粒子は、入射光を吸収し、ナノ粒子の様々な形状、サイズ、またはキャッピング配位子による生体組織の光学窓内の表面プラズモン共鳴によって発光を放射するように構成され得る。生体組織の光学窓において所望の入射光の吸収および発光の放射に応じて、異なるタイプの２つ以上のナノ粒子の混合物（例えば、アップコンバーティングナノ粒子、コアシェルナノ粒子、金ナノ粒子、銀ナノ粒子）は、生体組織の光学窓における所望の入射光の吸収および発光の放射を達成するように使用され得る。あるいは、同じタイプであるが異なる形状、サイズ、またはキャッピング配位子を有する２つ以上のナノ粒子の混合物は、生体組織の光学窓における所望の入射光の吸収および発光の放射を達成するように使用され得る。
【００５０】
ナノ粒子は様々な形状であり得、例えば、少なくとも金ナノ粒子は、金ナノスフェア、金ナノロッド、金ナノスター、または金ナノカップであり得る。ナノ粒子は、様々なサイズであり得、例えば、少なくとも金ナノスフィアは直径が４ｎｍ、７ｎｍ、１５ｎｍ、３０ｎｍ、４５ｎｍ、６０ｎｍ、８０ｎｍ、１００ｎｍ、１５０ｎｍ、または２００ｎｍであり得る。前述の金ナノスフィアの各サイズのピーク吸光度は５２０ｎｍ〜８５０ｎｍであり（例えば、１５〜１００ｎｍ金ナノスフィアは５２０〜５８０ｎｍ）、一般に、直径が大きくなるほどピーク吸光度において吸収される光の波長が長くなる傾向にしたがう。そうとは言え、直径が大きくなるほどバルク金属の吸光度に達するまでのピーク吸光度が幅広くなる（例えば、金ナノ粒子の場合、バルクの金）。（前述の金ナノ粒子の吸光度スペクトルは図４Ａ参照。）金ナノロッドは長さ２９．２ｎｍかつ直径７．５ｎｍ、長さ３０．７ｎｍかつ直径８．８ｎｍ、長さ３７．９ｎｍかつ直径１３．８ｎｍ、長さ５２．６ｎｍかつ直径２３．９ｎｍであり得、それぞれアスペクト比が３．９、３．５、２．８、または２．２である。前述の金ナノロッドの各サイズのピーク吸光度は５７０ｎｍ〜７６０ｎｍである。（前述の金ナノスフィアの吸光度スペクトルは図４Ｂ参照。）
キャッピング配位子に関して、例えば、少なくとも金ナノスフィアまたは金ナノロッドはビオチン、メトキシポリエチレングリコールまたはクエン酸から誘導されたキャッピング配位子を含み得る。
【００５１】
移植可能ポート検出装置
図５はいくつかの実施形態によるＩＰＤＤ５００を示す。図６はいくつかの実施形態によるＩＰＤＤ５００のモジュールを示す。
【００５２】
示されるように、ＩＰＤＤ５００は、いくつかの実施形態において、ハンドル５１２と本体５１０内に配置されたディスプレイ５２０とを含む本体５１０（例えば、成形プラスチック本体）を含み、それによって携帯型装置を提供する。ＩＰＤＤ５００の電源が入れられているとき、ディスプレイ５２０はＧＵＩ２２２（図２参照）を提供するように構成され、光検出器６４４によってコントラスト剤３１７からの発光が検出されたとき、今度は、移植可能ポート３１０の存在を表示するように構成される。本体５１０の少なくとも一部分内に配置されたＩＰＤＤ５００は、画像処理アルゴリズムによる画像処理を含むＩＰＤＤ５００の少なくとも操作のために構成されるマイクロコントローラ６３０と、光センサモジュール５４０と、電源６５６からのＡＣ電力（例えば、汎用ＡＣ電力）を、バッテリ２５２を充電するためのＤＣ電力に変換するように構成されるＡＣ／ＤＣコンバータ６５４によって充電することができるバッテリ２５２（図２参照）を含む電力システム２５０（図２参照）とをさらに含む。
【００５３】
光センサモジュール５４０は、光源６４２と、光検出器６４４（例えば、ＣＣＤセンサ）と、任意選択的に１つ以上の光学フィルタ６４６とを含む。
光源６４２は、移植可能ポート３１０のうちの１つ以上の部分内に包含されたコントラスト剤３１７によって吸収されるための入射光ｈνｉとして、ＮＩＲ領域内の波長の１つ以上の波長（例えば、６６０ｎｍ、７８０ｎｍ、８３０ｎｍ、８５０ｎｍ、または８６０ｎｍ）の光を放射するように構成される１つ以上のレーザ、ＬＥＤ、またはそれらの組み合わせであり得る。入射光は、コントラスト剤３１７のピークまたはピークに近い吸光度における１つ以上の波長のものであり得る。コントラスト剤が金ナノ粒子（例えば、金ナノスフィア、金ナノロッドなど）を含むとき、ピークまたはピークに近い吸光度における入射光は表面プラズモン共鳴を引き起こすと考えられ、それが次に発光ｈνｌを提供すると考えられている。
【００５４】
光検出器６４４は、コントラスト剤３１７によって入射光が吸収された後、コントラスト剤３１７によって放射される発光を含むＮＩＲ領域内の波長の１つ以上の同じかまたは異なる波長の光を検出するように構成される。光検出器６４４は、発光が存在するとき、移植可能ポート３１０のコントラスト剤３１７からの発光とともに環境の少なくとも一部（例えば、患者Ｐの体の表面）の画像または映像を取り込むように構成されるＮＩＲ感受性カメラであり得る。ディスプレイ５２０は、画像または映像を表示するように構成され得、それによって移植可能ポート３１０およびその隔壁３１４の存在を提供する。
【００５５】
光源６４２からの入射光およびコントラスト剤３１７によって放射される発光の両方は光−組織の相互作用によって散乱されるので、イメージングアルゴリズムは、例えばピークコントラスト比ファインダで、移植可能ポート３１０のコントラスト剤３１７によって放射される発光のうちの１つ以上の波長に対応するいわゆるホットスポットを自動的に識別するように構成され得る。コントラスト剤３１７が隔壁３１４内に包含された場合、イメージングアルゴリズムは、発光ディスクをホットスポットとして識別するように構成され得る。コントラスト剤３１７が隔壁３１４から突出する３つの触診隆起に包含された場合、イメージングアルゴリズムは３つの発光スポットをホットスポットとして識別するように構成され得る。コントラスト剤３１７が隔壁３１４周りのハウジング３１２内に包含された場合、イメージングアルゴリズムは発光環をホットスポットとして識別するように構成され得る。光検出器６４４がＮＩＲ感受性カメラであるとき、ホットスポットは、画像または映像内ですぐに識別可能でない場合、ＮＩＲ感受性カメラからの画像または映像が表示されるとき、ＧＵＩ２２２内のグラフィカル要素によって識別され得る。
【００５６】
ＮＩＲ感受性カメラからの画像または映像の上で移植可能ポート３１０の隔壁３１４に対応するホットスポットをＧＵＩ２２２内のグラフィカル要素で識別することの代替として、またはそれに加えて、レーザはホットスポットを識別するために使用され得る。レーザはＩＰＤＤ５００の光源６４２の１つ以上のレーザのうちのレーザであり得る。レーザが光源６４２の１つ以上のレーザのうちの任意のものによって使用されるものと同じである場合、ホットスポットの識別時に、レーザは少なくとも２つの異なる波長で交互にフラッシュするように構成され得る。ＮＩＲ領域内の波長の第１波長は、コントラスト剤３１７の継続的な励起のためにフラッシュされ得、第２波長は、患者Ｐ上のホットスポットの視覚的識別のための可視光範囲の波長でフラッシュされ得る。レーザが光源６４２の１つ以上のレーザのうちの任意のものによって使用されるものと異なる場合、レーザは、患者Ｐ上のホットスポットの視覚的識別のための可視光範囲の波長において、ホットスポットを確実に照射するように構成され得る。レーザは、ＩＰＤＤ５００が使用されているとき、患者Ｐ上のホットスポットを自動的に指し示し、追跡するように構成され得る。したがって、患者Ｐ上のホットスポットの視覚的識別を提供するレーザは、移植可能ポート３１０の隔壁３１４が識別されたとき、スイッチを「入れ」られ得る。そうでなければ、レーザはスイッチを切られ、それによって、移植されたとき、移植可能ポート３１０の隔壁３１４を臨床医が識別するための簡単なメカニズムを提供する。
【００５７】
１つ以上の光学フィルタ６４６が使用される場合、１つ以上の光学フィルタ６４６は、干渉光の波長をカットオフするようにＮＩＲ感受性カメラの開口部上などの光検出器６４４の開口部の上方に存在し得る。換言すれば、１つ以上の光学フィルタ６４６は、光検出器６４４と患者Ｐとの間に存在し得る。したがって、移植可能ポート３１０のコントラスト剤３１７からの発光を含む環境の部分（例えば、患者Ｐの体の表面）からの光は、濾別された光ｈνｆを生成するように１つ以上の光学フィルタ６４６によって濾別され得、それによって、光検出器６４４に通過する干渉光の波長をカットオフする。光検出器６４４がＮＩＲ感受性カメラであるとき、干渉光の波長をカットオフすることは、生成される画像または映像におけるコントラストを改善する。１つ以上のフィルタ６４６のうちの少なくとも１つの光学フィルタは、約６００ｎｍより短い波長をカットオフするバンドパスまたはロングパスフィルタとして構成されるダイクロイックフィルタであり得る（すなわち、約６００ｎｍより大きい波長を有する電磁スペクトルの紫外線部分および可視部分の両方）。（そのような光学フィルタの透過曲線は図７を参照。）
方法
移植可能ポート検出システム１００の方法は、いくつかの実施形態において、入射光としてＩＰＤＤ５００の光源６４２から光を放射することと、患者Ｐに移植された移植可能ポート３１０からの発光を含む光をＩＰＤＤ５００の光検出器６４４で検出することと、患者Ｐ内に移植されたポート３１０の存在を表示することとを含む。ＩＰＤＤ５００の光源６４２から放射される入射光は、ＮＩＲ領域内の波長の１つ以上の波長のものである。移植可能ポート３１０からの発光は、移植可能ポート３１０内に包含されたコントラスト剤３１７によって入射光が吸収された後、そのコントラスト剤３１７によって放射される発光である。発光は、ＮＩＲ領域内の波長の１つ以上の同じかまたは異なる波長のものである。患者Ｐ内の移植されたポートの存在を表示することは、光検出器６４４によってコントラスト剤３１７からの発光が検出されたときに起こる。
【００５８】
光検出器６４４は、ＮＩＲ感受性カメラであり得、本方法は画像または映像を取り込むことをさらに含み得る。患者Ｐ内の移植された移植可能ポート３１０の存在を表示することは、発光が存在するとき、移植可能ポート３１０内に包含されたコントラスト剤３１７によって放射される発光とともに患者Ｐの体の表面の少なくとも一部の画像または映像を表示することを含む。
【００５９】
本方法は、移植可能ポート３１０のチャンバ３１６から血液サンプルを回収するために、または移植可能ポート３１０のチャンバ３１６に治療剤を送達するために、ノンコアリングニードルで移植可能ポート３１０の隔壁３１４を貫通させることをさらに含む。加えて、本法は、患者Ｐ内に移植された移植可能ポート３１０を除去することをさらに含み得る。
【００６０】
図８は、いくつかの実施形態による移植可能ポート検出システム１００の別の方法８００を示す。
示されるように、操作８１０はＩＰＤＤ５００の電源を入れることと、利き手でＩＰＤＤ５００を保持することとを含む。操作８２０は、患者Ｐ内の移植されたポートのおおよその位置にＩＰＤＤ５００のセンサモジュール５４０の照準を合わせることを含む。操作８３０は、ＩＰＤＤ５００に隔壁３１４を含む移植されたポートの患者Ｐ内の正確な位置を示させることを含む。操作８４０は、利き手ではない方の手を使用して移植されたポートの正確な位置の周りの領域で患者Ｐを消毒することを含む。操作８５０は、患者Ｐの消毒のために使用した物を片付けることを含む。操作８６０は、利き手ではない方の手で、移植されたポートを安定化させることを含む。操作８７０は、ＩＰＤＤ５００を片付けることと、アクセスのためにニードルまたは他のアクセスデバイスを用意することとを含む。操作８８０は利き手でニードルまたは他のアクセスデバイスで移植されたポートにアクセスすることを含む。
【００６１】
いくつかの特定の実施形態が本明細書に開示され、特定の実施形態はある程度詳細に開示されているが、特定の実施形態が本明細書で提供される概念の範囲を制限することは意図されていない。追加の適応および／または変更は、当業者に明白であり得、より広い態様において、これらの適応および／または変更もまた包含される。したがって、本明細書で提供される概念の範囲から逸脱することなく、本明細書で開示される特定の実施形態から逸脱し得る。
【図１】
2021531087.tif 000003
【図２】
2021531087.tif 000004
【図３Ａ】
2021531087.tif 000005
【図３Ｂ】
2021531087.tif 000006
【図３Ｃ】
2021531087.tif 000007
【図４Ａ】
2021531087.tif 000008
【図４Ｂ】
2021531087.tif 000009
【図５】
2021531087.tif 000010
【図６】
2021531087.tif 000011
【図７】
2021531087.tif 000012
【図８】
2021531087.tif 000013
【国際調査報告】
2021531087.tif 000014
2021531087.tif 000015
2021531087.tif 000016